(57)【特許請求の範囲】
【請求項１】
リード線が配索される被配索部材と、該被配索部材の外面に立設される壁部と、該壁部と対向して前記被配索部材に立設され該壁部との間にリード線を挿入する間隙が形成されるリード線固定リブと、前記被配索部材に取り付けられる被着体と、該被着体に突設され該被着体が前記被配索部材に取り付けられた際に前記間隙に挿入されたリード線の上部に配置されることで該リード線の前記間隙からの外れを阻止する突起とを具備したことを特徴とするリード線固定構造。
【請求項２】
前記被配索部材がメーターケースのフード部材であり、前記被着体が前記メーターケースの表ガラスであることを特徴とする請求項１記載のリード線固定構造。
【請求項３】
前記被着体を前記被配索部材に取り付けるための係止爪が前記被着体に突設され、該係止爪の先端に前記突起が突設されていることを特徴とする請求項１記載のリード線固定構造。
【請求項４】
リード線が配索される被配索部材と、該被配索部材の外面に立設される壁部と、該壁部と対向して前記被配索部材に立設され該壁部との間にリード線を挿入する間隙を形成するリード線固定リブと、前記被配索部材が取り付けられる被取付体と、前記リード線固定リブより低い位置の前記壁部に穿設される貫通穴と、前記被取付体から突出され該被取付体に前記被配索部材が取り付けられた際に該貫通穴を貫通して前記間隙に挿入されたリード線の上部に配置されることで該リード線の前記間隙からの外れを阻止する突起とを具備したことを特徴とするリード線固定構造。
【請求項５】
前記被配索部材がメーターケースのフード部材であり、前記被取付体が前記メーターケースの本体を構成するケースであることを特徴とする請求項４記載のリード線固定構造。
【発明の詳細な説明】
【０００１】
【発明の属する技術分野】
本発明は、自動車等のメーターケースの外面に配索されたリード線を固定するためのリード線固定構造に関するものである。
【０００２】
【従来の技術】
一般的に自動車等の車両においては、メーターケースの外面にリード線が配索された状態で他部品へと組み付けられる。このメーターケースは、本体となるケース（被取付体）と、このケースに取り付けられるフード部材（被配索部材）と、このフード部材の前面に取り付けられる表ガラス（被着体）とより構成されている。フード部材の外面にはリード線が配索され、リード線はこの外面に種々の構造により固定される。
【０００３】
即ち、図７に示す従来のリード線固定構造では、フード部材１の壁部３に対向させてリード線固定リブ５を立設し、壁部３とリード線固定リブ５との間に形成された間隙にリード線９を挟入することで、リード線９がフード部材１の外面に固定される。
【０００４】
また、図８に示す従来の前記とは別のリード線固定構造では、対峙する一対の可撓片１１をフード部材１の外面に立設し、この可撓片１１の先端内側に係止爪１３を設けることにより、先端側を押し広げて内側に挿入されたリード線９の外れを防止している。
【０００５】
【発明が解決しようとする課題】
しかしながら、上述した図７に示したリード線固定構造では、リード線９が壁部３とリード線固定リブ５との間隙に挟み込まれるだけである。従って、リード線９に弛み又は外力が生じた場合には上方へ外れ易く、商品（メーターケース）としての品質が低下するとともに、メーターケースの組み付けの際には、フード部材１の外面から浮上したリード線９が他部品と干渉し、組み付け作業性を低下させるという問題がある。
【０００６】
また、図８に示した別のリード線固定構造では、可撓片１１の強度が得にくく、リード線９に外力が作用した場合には、可撓片１１の変形によりリード線９が外れ易いという問題がある。
また、リード線９挿入時に可撓片１１が過剰に押し広げられると、可撓片１１が破損する心配があり、更に構造が複雑な樹脂成形部品においては可撓片１１を形成できない場合がある。
【０００７】
本発明の目的は、上記課題に鑑みてなされたものであり、リード線を被配索部材へ確実に固定することができ、且つ十分な固定強度が得られるとともに、金型構造が複雑となることがないリード線固定構造を提供することにある。
【０００８】
【課題を解決するための手段】
本発明の上記目的は、リード線が配索される被配索部材と、該被配索部材の外面に立設される壁部と、該壁部と対向して前記被配索部材に立設され該壁部との間にリード線を挿入する間隙を形成するリード線固定リブと、前記被配索部材に取り付けられる被着体と、該被着体に突設され該被着体が前記被配索部材に取り付けられた際前記間隙に挿入されたリード線の上部に配置され該リード線の前記間隙からの外れを阻止する突起とを具備したことを特徴とするリード線固定構造によって達成することができる。
【０００９】
上記構成のリード線固定構造では、壁部とリード線固定リブとの間隙に挿通されたリード線が、被着体を被配索部材に組み付けることにより、突起によって間隙上方向からの外れが阻止され、確実に被配索部材に固定されることになる。また、このリード線固定構造では、被着体に突起を形成することでリード線の固定構造が形成されるため、金型構造が複雑なものとならない。
【００１０】
また本発明の上記目的は、リード線が配索される被配索部材と、該被配索部材の外面に立設される壁部と、該壁部と対向して前記被配索部材に立設され該壁部との間にリード線を挿入する間隙を形成するリード線固定リブと、前記被配索部材が取り付けられる被取付体と、前記リード線固定リブより低い位置の前記壁部に穿設される貫通穴と、前記被取付体から突出され該被取付体に前記被配索部材が取り付けられた際に該貫通穴を貫通して前記間隙に挿入されたリード線の上部に配置されることで該リード線の前記間隙からの外れを阻止する突起とを具備したことを特徴とするリード線固定構造によって達成することができる。
【００１１】
上記構成のリード線固定構造では、被配索部材が被取付体に取り付けられた際、突起が貫通穴を貫通して壁部からリード線の上方に突出され、リード線はリード線固定リブと壁部との間隙に挿通された状態で、更に上方に突出された突起により間隙の上方からの外れが阻止される。よって、リード線の被配索部材への固定が確実に行えるとともに、被取付体に被配索部材を取り付ける段階でリード線を被配索部材に固定することができる。
【００１２】
【発明の実施の形態】
以下、本発明に係るリード線固定構造の好適な第１の実施の形態を図面を参照して詳細に説明する。図１は本発明によるリード線固定構造を示すメーターケース上面の斜視図、図２は図１のメーターケースの正面図、図３は図１のメーターケースの平面図、図４は図１のメーターケースの側面図、図５は本発明によるリード線固定構造の要部説明図であり、（ａ）は要部の正面を示し、（ｂ）は（ａ）のＣ−Ｃ断面を示す。
【００１３】
図２〜図４に示すようにメーターケース２１は、機器類が装着された本体であるケース（被取付体）２３と、このケース２３の前面に取り付けられるフード部材（被配索部材）２５と、このフード部材２５の前面を覆って取り付けられる表ガラス（被着体）２７とから構成される。
【００１４】
フード部材２５は、図３に示すようにケース２３側の縁部から突出した複数の係止爪２９をケース２３の係止穴３１に係止させることにより、ケース２３に固定される。また、表ガラス２７は、複数の係止爪３３をフード部材２５の係止穴３５に係止させることにより、フード部材２５に固定される。このようにして、ケース２３、フード部材２５、表ガラス２７は、一体に組み付けられる。
【００１５】
また、フード部材２５には、図１に示すように電球ソケット３７が付設され、電球ソケット３７からのリード線３９がフード部材２５の外面に沿って配索される。フード部材２５の外面には壁部４１が形成され、リード線３９はフード部材２５の外面を壁部４１に沿って配索される。フード部材２５には壁部４１と対向して一対のリード線固定リブ４３が立設されている。
図５（ｂ）に示すように、壁部４１とリード線固定リブ４３との間には間隙４５が形成される。リード線３９は、この間隙４５に挿通されることにより、壁部４１とリード線固定リブ４３とに挟持状態で保持される。
【００１６】
図１に示すようにフード部材２５の係止穴３５に挿入される表ガラス２７の係止爪３３の先端には、突起４７が形成されている。この突起４７は係止爪３３が係止穴３５に係止した際、壁部４１に近接して配置されるようになっている。
この際、図５（ａ）に示すように突起４７はリード線固定リブ４３の高さより、同等或いは低い位置に配置される。また、突起４７は、一対のリード線固定リブ４３の間に突出される。また、図５（ｂ）に示すように壁部４１に近接した突起４７は、壁部４１との隙間Ｅがリード線３９の直径ｄより小さくなる位置まで突出される。即ち、壁部４１とリード線固定リブ４３との間隙４５に挿通されたリード線３９の上部が、突起４７で押さえられることになる。
【００１７】
このように構成されるリード線固定構造では、壁部４１とリード線固定リブ４３との間隙４５に挿通されたリード線３９が、表ガラス２７をフード部材２５に組み付けることにより、突起４７によって間隙４５上方向からの外れが阻止され、確実にフード部材２５に固定されることになる。
従って、メーターケース２１を他部品に組み付ける際、メーターケース２１から外れて浮上したリード線３９が、他部品へ引っ掛かるなどの不具合がなくなる。また、表ガラス２７の係止爪３３の先端に突起４７を形成することでリード線の固定構造が構成されているので、金型構造が複雑なものとならない。
【００１８】
上述のリード線固定構造によれば、リード線３９をフード部材２５に確実に固定できるので、リード線３９の外れによる商品（メーターケース２１）の品質低下を防止することができるとともに、外れによるリード線３９と他部品との引っ掛かりも無くすことができ、組付け性を向上させることができる。
また、リード線３９の外れが無くなることにより、他部品への引っ掛かりによる断線も防止することができる。
更に、本固定構造は、表ガラス２７の係止爪３３に突起４７を形成することで構成できるので、金型構造を簡単なものとすることができる。また、可撓片１１（図８参照）を形成した従来構造のように、リード線３９の固定部分に弾性構造が不要となるため、リード線３９の固定強度を高めることができる。
【００１９】
次に、本発明によるリード線固定構造の第２の実施の形態を図６に基づいて説明する。図６は本発明によるリード線固定構造の第２の実施の形態を示す説明図である。このリード線固定構造では、上述のリード線固定構造と同様に、フード部材２５の壁部４１に対向して一対のリード線固定リブ４３が立設されており、フード部材２５の壁部４１には貫通穴５１が穿設されている。貫通穴５１は、一対のリード線固定リブ４３の間に穿設される。貫通穴５１は、少なくともリード線固定リブ４３の上端と同一高さ又はそれより低い位置に形成される。
【００２０】
また、ケース２３にはフード部材２５方向に突出する突起５３が突設され、突起５３はフード部材２５がケース２３に取り付けられた際、貫通穴５１を貫通して壁部４１からリード線３９の上方に突出される。即ち、リード線３９は、リード線固定リブ４３と壁部４１との間隙４５に挿通された状態で、更に上方に突出された突起５３により間隙４５の上方からの外れが阻止される。これにより、リード線３９は、フード部材２５に確実に固定されることになる。
【００２１】
前記リード線固定構造によれば、間隙４５に挿通されたリード線３９の上方への外れが阻止され、上述のリード線固定構造と同様、リード線３９のフード部材２５への固定が確実に行えるとともに、表ガラス２７の固定前、即ちケース２３にフード部材２５を取り付ける段階でリード線３９をフード部材２５に固定することができる。
【００２２】
なお、上述の実施の形態では、被配索部材がフード部材２５であり、被着体が表ガラス２７であり、被取付体がケース２３であるメーターケース２１の場合を例に説明したが、本発明によるリード線固定構造は、その他の被配索部材、被着体及び被取付体に用いられるものであっても勿論よい。
【００２３】
また、上述の実施の形態では、一対のリード線固定リブ４３の間に突起４７，５３を突出させたが、間隙４５上方からのリード線３９の外れが防止できるものであれば、本発明によるリード線固定構造は、単一のリード線固定リブ４３の近傍に突起４７，５３を突出させるものであってもよい。
【００２４】
【発明の効果】
以上説明したように本発明に係るリード線固定構造によれば、被配索部材にリード線固定リブを設け、被配索部材に取り付けられる被着体に突起を突設し、被着体を被配索部材に取り付けた際、突起が間隙からのリード線の外れを阻止するようにしたものである。
また、被配索部材にリード線固定リブを設け、被配索部材が取り付けられる被取付体に突起を突設し、被配索部材が被取付体に取り付けられた際、突起が間隙からのリード線の外れを阻止するようにしたものである。
【００２５】
従って、リード線を被配索部材に確実に固定することができ、リード線の外れによる商品の品質低下を防止することができるとともに、外れによるリード線と他部品との引っ掛かりも無くすことができ、組付け性を向上させることができる。また、リード線の外れが無くなることにより、他部品への引っ掛かりによる断線も防止することができるので信頼性の高いリード線固定構造を備えた商品を提供することができる。更に、被着体に突起を形成することで、金型構造も簡単なものとすることができる。
【図面の簡単な説明】
【図１】本発明によるリード線固定構造の第１の実施の形態を示すメーターケース上面の斜視図である。
【図２】図１におけるメーターケースの正面図である。
【図３】図１におけるメーターケースの平面図である。
【図４】図１におけるメーターケースの側面図である。
【図５】本発明によるリード線固定構造の要部説明図であり、（ａ）は要部の正面を示し、（ｂ）は（ａ）のＣ−Ｃ断面を示す。
【図６】本発明によるリード線固定構造の第２の実施の形態を示す要部説明図であり、（ａ）は要部の正面を示し、（ｂ）は（ａ）のＤ−Ｄ断面を示す。
【図７】従来のリード線固定構造を示す要部説明図であり、（ａ）は要部の正面を示し、（ｂ）は（ａ）のＡ−Ａ断面を示す。
【図８】従来の他のリード線固定構造を示す要部説明図であり、（ａ）は要部の正面を示し、（ｂ）は（ａ）のＢ−Ｂ断面を示す。
【符号の説明】
２３  ケース（被取付体）
２５  フード部材（被配索部材）
２７  表ガラス（被着体）
３３  係止爪
３９  リード線
４１  壁部
４３  リード線固定リブ
４５  間隙
４７，５３  突起
５１  貫通穴
【図１】
0003717005.tif 000002
【図２】
0003717005.tif 000003
【図３】
0003717005.tif 000004
【図４】
0003717005.tif 000005
【図５】
0003717005.tif 000006
【図６】
0003717005.tif 000007
【図７】
0003717005.tif 000008
【図８】
0003717005.tif 000009